(57)【特許請求の範囲】
【請求項１】
空気の吸込口および吹出口を備える筐体と、
前記筐体内に配置される気液接触部材と、
塩素イオンを含む水を電気分解して活性酸素種を含む電解水を生成し前記気液接触部材に供給する電解水供給手段と、
前記吸込口から吸い込む室内の空気を、前記気液接触部材に浸透させた前記活性酸素種を含む電解水に接触させて、前記吹出口から吹き出させる送風ファンと、を備え、
前記電解水供給手段は、外部電源から正電位が与えられることにより活性酸素種として次亜塩素酸を生成する第一の電極と、外部電源から正電位が与えられることにより活性酸素種としてオゾンを生成する第二の電極と、を備え、
前記第一の電極と前記第二の電極との極性を切り替えることで前記電解水に含ませる活性酸素種の種類を選択的に切り替える
ことを特徴とする空気除菌装置。
【請求項２】
請求項１記載の空気除菌装置において、
前記気液接触部材に送風される空気に含まれる成分を検出する空気成分検出手段と、
検出された成分に応じて前記電解水供給手段が前記電解水に含ませる活性酸素種の種類を切り替えさせる切替手段を備えたこと、
を特徴とする空気除菌装置。
【請求項３】
請求項２記載の空気除菌装置において、
前記空気成分検出手段は、空気に含まれる臭気成分を検出する臭気センサであること、
を特徴とする空気除菌装置。
【請求項４】
請求項１〜３のいずれか一項に記載の空気除菌装置において、
塩素または塩素を含む化合物を前記電解水供給手段に供給する薬剤供給手段を備えたことを特徴とする空気除菌装置。
【請求項５】
請求項１〜４のいずれか一項に記載の空気除菌装置において、
前記第一の電極と前記第二の電極との間に通電する通電時間を断続的に設けること、
を特徴とする空気除菌装置。
【請求項６】
請求項１〜５のいずれか一項に記載の空気除菌装置において、
前記第一の電極と前記第二の電極とに交互に正電位を与えること、
を特徴とする空気除菌装置。
【請求項７】
請求項５または６に記載の空気除菌装置において、
前記通電時間のインターバルが電解水中の活性酸素種の残留時間よりも短いこと、
を特徴とする空気除菌装置。
【請求項８】
請求項１〜７のいずれか一項に記載の空気除菌装置において、
前記電解水供給手段において、オゾンを生成させた後、オゾンの残留時間以内に次亜塩素酸を生成させること、
を特徴とする空気除菌装置。
【請求項９】
請求項１〜７のいずれか一項に記載の空気除菌装置において、
前記電解水供給手段において、オゾンを生成させた後に、前記電解水中のオゾン濃度が所定の濃度になる前に次亜塩素酸を生成させること、
を特徴とする空気除菌装置。
【発明の詳細な説明】
【技術分野】
【０００１】
本発明は、空中浮遊微生物（細菌、ウィルス、真菌（以下、単に「ウィルス等」という。））の除去が可能な空気除菌装置に関する。
【背景技術】
【０００２】
一般に、ウィルス等の除去を目的として、空気中に電解水ミストを拡散させて、ウィルス等にこの電解水ミストを直接接触させ、ウィルス等を不活化する除菌装置が提案されている（例えば、特許文献１参照）。
【特許文献１】特開２００２−１８１３５８号公報
【発明の開示】
【発明が解決しようとする課題】
【０００３】
しかし、従来の除菌装置は、微粒子状の電解水ミストが到達しやすい使用環境下、すなわち、比較的小空間では効力を発揮するものの、電解水ミストが到達しにくい使用環境下、すなわち、大空間、例えば幼稚園や小・中・高等学校や、介護保険施設や、病院等では効力を発揮しにくいという問題がある。
【０００４】
これを解消するため、一つの筐体内に、保水性を有する気液接触部材を設け、この気液接触部材に水道水を電気分解して得た電解水を滴下しつつ、シロッコファン等の送風ファンによって、気液接触部材に室内空気を送風し、大空間の空気に含まれるウィルス等やアレルギー物質を無害化する空気除菌装置が出願人によって提案されている。
【０００５】
この装置では、電解水に含まれる活性酸素種、例えば、次亜塩素酸を利用してウィルス等の菌を不活化している。
しかしながら、次亜塩素酸では不活化が困難なウィルス等の場合には、所望の除菌効果が得られない場合が想定される。また、空気中に含まれる臭気成分についても、次亜塩素酸では分解が困難な臭気物質の場合には、所望の脱臭効果が得られない場合が想定される。
【０００６】
本発明の課題は、除菌すべきウィルス等やアレルギー物質、脱臭すべき臭気物質の種類に応じて適切な活性酸素種を用いて空気を除菌・脱臭することのできる空気除菌装置を提供することにある。
【課題を解決するための手段】
【０００７】
上記課題を解決するため、本発明の空気除菌装置は、空気の吸込口および吹出口を備える筐体と、前記筐体内に配置される気液接触部材と、塩素イオンを含む水を電気分解して活性酸素種を含む電解水を生成し前記気液接触部材に供給する電解水供給手段と、前記吸込口から吸い込む室内の空気を、前記気液接触部材に浸透させた前記活性酸素種を含む電解水に接触させて、前記吹出口から吹き出させる送風ファンと、を備え、前記電解水供給手段は、外部電源から正電位が与えられることにより活性酸素種として次亜塩素酸を生成する第一の電極と、外部電源から正電位が与えられることにより活性酸素種としてオゾンを生成する第二の電極と、を備え、前記第一の電極と前記第二の電極との極性を切り替えることで前記電解水に含ませる活性酸素種の種類を選択的に切り替えることを特徴とする。
【０００８】
この構成によれば、電解水供給手段は、電解水に含ませる活性酸素種の種類を複数の活性酸素種の中から選択的に切り替えることができるので、空気中に浮遊するウィルス等やアレルギー物質および臭気物質の種類によって、電解水に含ませる活性酸素種の種類を適切なものに選択して気液接触部材に供給することができる。これにより、一の種類の活性酸素種では、ウィルス等の除菌効果が低い場合でも、対象ウィルス等に対する除菌効果の高い他の活性酸素種に切り替えて室内の空気を除菌できる。従って、ウィルス等やアレルギー物質の種類に適切な活性酸素種を含む電解水に接触させて、空気を除菌し、除菌した空気を吹出口から吹き出して、室内の空気を除菌することができる。
【０００９】
この場合において、上記空気除菌装置に前記気液接触部材に送風される空気に含まれる成分を検出する空気成分検出手段と、検出された成分に応じて前記電解水供給手段が前記電解水に含ませる活性酸素種の種類を切り替えさせる切替手段を備えさせてもよい。
この構成によれば、空気に含まれるウィルス等やアレルギー物質や臭気物質の種類に応じて、電解水供給手段が気液接触部材に供給する電解水に含ませる活性酸素種の種類を切り替えさせることができる。
【００１０】
このとき、前記空気成分検出手段を、空気に含まれる臭気成分を検出する臭気センサとすることができる。
この構成によれば、空気に含まれる臭気物質の種類に応じて、電解水供給手段が気液接触部材に供給する電解水に含ませる活性酸素種の種類を切り替えさせることができる。
【００１６】
また、上記構成において、塩素または塩素を含む化合物を前記電解水供給手段に供給する薬剤供給手段を備えても良い。
また、上記構成において、前記第一の電極と前記第二の電極とに交互に前記所定の電位を与えても良い。
【００１９】
また、上記構成において、前記通電時間のインターバルが電解水中の活性酸素種の残留時間よりも短いことが好ましい。
また、上記構成において、前記電解水供給手段において、オゾンを生成させた後、オゾンの残留時間以内に次亜塩素酸を生成させることが好ましい。
この場合、前記電解水供給手段において、オゾンを生成させた後に、前記電解水中のオゾン濃度が所定の濃度になる前に次亜塩素酸を生成させてもよい。
【発明の効果】
【００２０】
本発明の空気除菌装置によれば、電解水に含ませる活性酸素種の種類を、除菌すべきウィルス等やアレルギー物質、脱臭すべき臭気物質の種類に応じて切り替えることができるので、適切な活性酸素種を用いて空気を除菌・脱臭することができる。
【発明を実施するための最良の形態】
【００２１】
以下、図面を参照して本発明の実施の形態について説明する。
図１において、符号１は、床置き式空気除菌装置を示す。この床置き式空気除菌装置１は、箱形の筐体２を備え、この筐体２は、脚片２Ａと、前パネル２Ｂと、天パネル２Ｃとを含み、この天パネル２Ｃの両側には、操作蓋２Ｄ、開閉蓋２Ｅがそれぞれ横並びに配置されている。この筐体２の下部には、図２に示すように、横長の吸込口３が形成され、この吸込口３の上方にはプレフィルター３Ａが配置されている。このプレフィルター３Ａの上方には送風ファン７が配置され、この送風ファン７の上方には、保水性の高い気液接触部材５が、図３に示すように、筋交い状に配置され、この気液接触部材５の上方には、横長の吹出口４が配置されている。符号８は、送風ファン７の支持板であり、この支持板８は、筐体２に支持されている。
【００２２】
この気液接触部材５は、ハニカム構造を持ったフィルタ部材であって、気体接触面積が広く確保され、電解水滴下が可能で、目詰まりしにくい構造になっている。すなわち、この気液接触部材５は、図４に示すように、波形状に曲げられた素材５Ａと、平板状の素材５Ｂとを接合し、全体としてハニカム状に形成されている。
【００２３】
これら素材５Ａ，５Ｂには、後述する電解水に反応性の少ない素材、要するに、電解水による劣化が少ない素材、例えば、ポリオレフィン系樹脂（ポリエチレン樹脂、ポリプロピレン樹脂等）、ＰＥＴ（ポリエチレン・テレフタノール）樹脂、塩化ビニル樹脂、フッ素系樹脂（ＰＴＦＥ、ＰＦＡ、ＥＴＦＥ等）、セルロース系材料またはセラミックス系材料等の素材を使用することができる。本構成では、これら素材５Ａ，５Ｂに、ＰＥＴ樹脂が使用されている。また、この気液接触部材５には親水性処理が施され、電解水に対する親和性が高められており、これによって、気液接触部材５の電解水の保水性（湿潤性）が保たれ、後述する活性酸素種と室内空気との接触が長時間持続される。さらに、気液接触部材５には防かび作用を持つ電解水が滴下されるため、気液接触部材５に防かび対策としての防かび剤の塗布が不要になる。
【００２４】
気液接触部材５の傾斜角θは、３０°以上であることが望ましい。それ以下の場合、滴下した電解水が、気液接触部材５の傾斜に沿って流れず、下方に落下する。また、傾斜角θが９０°に近づいた場合、気液接触部材５を通過する送風経路が水平に近くなり、その分だけ上方への吹き出しが困難になる。この吹き出し方向を水平に近付けた場合、吹き出し空気を遠くに送風できなくなり、後述するように、大空間の除菌に適した装置とならない。傾斜角θは、８０°＞θ＞３０°が好ましく、さらに好ましくは、７５°＞θ＞５５°で、本構成では約５７°である。
【００２５】
図５Ａ〜図５Ｃは、気液接触部材５に電解水を滴下する電解水供給手段を示す。
ＰＥＴ樹脂製の気液接触部材５の下方には、水受け皿９（図３参照）が配置され、この水受け皿９には、給水タンク支持皿１０が連接されている。この給水タンク支持皿１０には、当該支持皿１０内に塩素イオンを含む水道水を供給する給水タンク１１と、循環ポンプ１３とが配置されている。この循環ポンプ１３には電解槽３１が接続され、この電解槽３１には電解水供給管１７が接続されている。この電解水供給管１７は、外周部に多数の散水孔（図示せず）を備えて構成され、図５Ｂに示すように、気液接触部材５の上縁部に形成された散水ボックス５Ｃ中に挿入されている。
【００２６】
この電解槽３１には、図５Ｃに示すように、電解槽３１内に第一の電極３２および第二の電極３３を対の電極として２対備え、第一の電極３２と第二の電極３３との間に電圧を印加した場合、電解槽３１に流入した水道水を電気分解して活性酸素種を含む電解水を生成させる。ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。電解槽３１は、気液接触部材５に接近して配置され、水道水を電気分解して生成された活性酸素種を、ただちに気液接触部材５に供給できるように構成される。
【００２７】
第一の電極３２は、例えばベースがＴｉ（チタン）で皮膜層がＩｒ（イリジウム）、Ｐｔ（白金）から構成された電極板であり、アノード電極として外部電源から正電位が与えられることにより活性酸素種として次亜塩素酸を生成する。
【００２８】
第二の電極３３は、例えば、ベースがＴｉで被膜層が白金（Ｐｔ）、タンタル（Ｔａ）から構成された電極板であり、アノード電極として外部電源から正電位が与えられることにより活性酸素種としてオゾンを生成する。
【００２９】
上記第一の電極３２をアノード電極とし、第二の電極３３をカソード電極として、外部電源から第一の電極３２および第二の電極３３の間に電圧を印加して、通電すると、カソード電極としての第二の電極３３では、
４Ｈ+＋４ｅ-＋（４ＯＨ-）→２Ｈ2＋（４ＯＨ-）
の反応が起こり、アノード電極としての第一の電極３２では、
２Ｈ2Ｏ→４Ｈ+＋Ｏ2＋４ｅ-
の反応が起こると同時に、
水に含まれる塩素イオン（水道水に予め添加されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となり、第二の電極３２の側で殺菌力の大きいＨＣｌＯ（次亜塩素酸）が発生する。
【００３０】
一方、上記第一の電極３２をカソード電極とし、第二の電極３３をアノード電極として、外部電源から第一の電極３２および第二の電極３３の間に電圧を印加して、通電すると、アノード電極としての第二の電極３３では、
２Ｈ2Ｏ→４Ｈ+＋Ｏ2＋４ｅ-
の反応と同時に、
３Ｈ2Ｏ→Ｏ3＋６Ｈ+＋６ｅ-
２Ｈ2Ｏ→Ｏ3＋４Ｈ+＋４ｅ-
の反応が起こりオゾン（Ｏ3）が生成される。
【００３１】
またカソード電極としての第一の電極３２では、
４Ｈ+＋４ｅ-＋（４ＯＨ-）→２Ｈ2＋（４ＯＨ-）
Ｏ2-＋ｅ-＋２Ｈ+→Ｈ2Ｏ2
のように、電極反応によりＯ2-が生成したＯ2-と溶液中のＨ+とが結合して、過酸化水素（Ｈ2Ｏ2）が生成される。
【００３２】
この構成では、第一の電極３２に正の電位を与えて，第一の電極３２および第二の電極３３の間に外部電源から電圧を印加することで、第一の電極３２の側から殺菌力の大きいＨＣｌＯ（次亜塩素酸）を生成させて、次亜塩素酸を含む電解水を生成することができる。
【００３３】
また、第二の電極３３に正の電位を与えて、第一の電極３２および第二の電極３３の間に外部電源から電圧を印加することで、第二の電極３３の側から殺菌力の大きいオゾン（Ｏ3）を、第一の電極３２の側からは過酸化水素（Ｈ2Ｏ2）を生成させて、これらオゾン（Ｏ3）や過酸化水素（Ｈ2Ｏ2）を含んだ電解水を作ることができる。
【００３４】
正の電位を与える電極の切り替えは、電極の極性を反転させることで行える。電極の切り替えはどの様に行ってもよいが、本実施形態では、図６に示す電極切替装置６０を用いて電極の切り替えを行うことができる。
【００３５】
電極切替装置６０は、図６に示すように、直流電源回路６１の正極側の出力端子と負極側の出力端子と接続する電極を切り替えるための極性反転部６２と、極性反転部６２に極性切替信号を入力する制御部６３とを備えている。
【００３６】
この電極切替装置６０では、室内の空気を吸い込む吸込口３近傍に設けられる臭気センサ６４から入力される臭気検出信号により、室内の空気に含まれる臭気成分に応じて、次亜塩素酸で分解しやすい臭気成分が検出された場合には、制御部６３は第一の電極３２に正の電位を与えるための極性切替信号を極性反転部６２に出力する。これにより、図６（Ｂ）に示すように、直流電源回路６１の正極側の出力端子と第一の電極３２とが接続され、直流電源回路６１の負極側の出力端子と第二の電極３３とが接続される。
【００３７】
一方、室内の空気に含まれる臭気成分がオゾンまたは過酸化水素により分解しやすい成分であると検出された場合には、第二の電極３３に正の電位を与えるための極性切替信号を極性反転部６２に出力する。これにより、図６（Ｃ）に示すように、直流電源回路６１の正極側の出力端子と第二の電極３３とが接続され、負極側の出力端子を第一の電極３２と接続される。このように、第一の電極３２および第二の電極３３の極性を切り替えることにより、電解水に含ませる活性酸素種の種類を次亜塩素酸、オゾン、過酸化水素の中から選択的に切り替えることができる。
【００３８】
つぎに、この実施形態の動作について説明する。
図１において、操作蓋２Ｄを開くと、図示を省略した操作パネルが臨んでおり、この操作パネルを操作することで、床置き式空気除菌装置１の運転が開始される。この運転が開始されると、図５（Ａ）を参照して、循環ポンプ１３が駆動され、給水タンク支持皿１０に溜まった水道水が、電解槽３１に供給される。
【００３９】
この電解槽３１では、吸込口３近傍の臭気センサ６４から出力される検出信号により、制御部６３は極性反転部６２により正の電位を与える電極を第一の電極３２または第二の電極３３として、第一の電極３２および第二の電極３３の間に電圧を印加して、電極間３２、３３に直流電流を通じて、水道水の電気分解を行い、次亜塩素酸またはオゾンおよび過酸化水素を含む電解水を生成する。この電解水は、電解水供給管１７の散水孔（図示せず）を経て、散水ボックス５Ｃ中に散水され、ここから気液接触部材５の上縁部にしみ込み、下部に向けて徐々に浸透する。
【００４０】
電解水で浸透した気液接触部材５には、送風ファン７（図２，３参照）を経て、室内の空気が供給される。この室内の空気は、気液接触部材５にしみ込んだ活性酸素種に接触して、再び、吹出口４より室内に吹き出される。この気液接触部材５には親水性処理が施され、電解水に対する親和性が高められており、これによって、気液接触部材５の電解水の保水性（湿潤性）が保たれ、室内空気と活性酸素種との接触が長時間持続される。この活性酸素種は、室内の空気中に、例えばインフルエンザウィルスが侵入した場合、その感染に必須の当該ウィルスの表面蛋白（スパイク）を破壊、消失（除去）する機能を持ち、これを破壊すると、インフルエンザウィルスと、当該ウィルスが感染するのに必要な受容体（レセプタ）とが結合しなくなり、これによって感染が阻止される。衛生環境研究所との共同による実証試験の結果、インフルエンザウィルスが侵入した空気を、本構成の気液接触部材５に通した場合、当該ウィルスを９９％以上除去できることが判明した。
【００４１】
一方、余剰となった電解水は、図５（Ａ）に示す水受け皿９に集められ、隣接する給水タンク支持皿１０に流入し、そこに貯留される。本構成では、水が循環式となっており、蒸発等により水量が減った場合、給水タンク１１を介して、給水タンク支持皿１０に水道水が適量供給される。この給水タンク１１の水量が減った場合には、開閉蓋２Ｅ（図１参照）を開いて、給水タンク１１を取り出して水道水を補給する。
【００４２】
上記において、電解水中の活性酸素種の濃度は、除菌するウィルス等を不活化させる濃度となるように調整される。電解水中の活性酸素種の濃度は、第一の電極３２および第二の電極３３の間に印加する電圧を調整して、第一の電極３２および第二の電極３３の間に流す電流値を調整することにより行われる。
【００４３】
例えば、第一の電極３２に正の電位を与えて、第一の電極３２および第二の電極３３の間に流れる電流値を、電流密度で２０ｍＡ／ｃｍ2とすると、所定の遊離残留塩素濃度（例えば１ｍｇ／リットルを発生させる。また、第一の電極３２、第二の電極３３の間に印加する電圧を変更して、電流値を高くすることで、電解水中の次亜塩素酸の濃度を高い濃度にすることができる。電解水中におけるオゾンもしくは過酸化水素についても、上記と同様に、第二の電極３３に正の電位を与えて、第一の電極３２および第二の電極３３の間に流れる電流値を高くすれば、電解水中のオゾンもしくは過酸化水素の濃度を高くできる。
【００４４】
本実施形態では、筐体２の下部に設けられた吸込口３から吸い込んだ室内の空気を、気液接触部材５に滴下した電解水に接触させて、筐体２の上部に設けられた吹出口４から吹き出す構成を備えるため、この床置き式空気除菌装置１が、例えば幼稚園や小・中・高等学校や、介護保険施設や、病院等のいわゆる大空間に設置された場合であっても、電解水に接触して除菌された室内の空気を、大空間の遠くに飛ばすことが可能になり、大空間での空気除菌が効率よく達成でき、同時に脱臭することができる。この際、吸込口３近傍に設けられた臭気センサ６４により検出された臭気成分に応じて、電極切替装置６０は第一の電極３２および第二の電極３３の極性を切り替えて、空気中の臭気成分を分解しやすい活性酸素種を含む電解水を生成させるので、効率よく空気中の除菌および脱臭を行うことができる。
【００４５】
また、本実施形態では、極性を反転させることにより、電解水に含ませる活性酸素種の種類を容易に切り替えることができるので、空気除菌装置１の構成を複雑化することがない。また、極性を反転させることにより、カソード電極に堆積したスケールを取り除くことができるので、効率よく水の電気分解を行うことができる。
【００４６】
また、本実施形態では、次亜塩素酸を含んだ電解水が、水受け皿９に集められ、隣接する給水タンク支持皿１０に流入する。このため、各皿には雑菌が発生せず、スライムの発生が防止される。このため、各皿の清掃及びメンテナンスの頻度が減少し、メンテナンス等の労力の軽減が図られる。
【００４７】
以上説明した実施の形態の空気除菌装置は、本発明の一態様であり、本発明の趣旨を逸脱しない範囲において適宜変更可能なのは勿論である。
例えば、上記実施の形態では、電極切替装置６０を設け、臭気センサ６４により検出する空気中の臭気成分によって、第一の電極３２および第二の電極３３の極性を反転させることとしたが、これに限定されるものではなく、例えばタイマを利用して定期的に反転させてもよいし、空気除菌装置１の運転起動の度に反転させる等、不定期に反転させてもよい。
【００４８】
また、第一の電極３２および第二の電極３３の間に連続的に通電しながら、正の電位を与える電極を第一の電極３２または第二の電極３３に切り替えるようにしてもよいし、第一の電極３２および第二の電極３３の間に通電する通電時間を断続的に設けてもよい。
【００４９】
例えば、図７に示す様に、電極３２、３３の間に通電する通電時間を、Ｔab、Tcd、Ｔef、Ｔghのように、断続的に設ける場合、通電時間と通電時間との間のインターバル（例えば、図中に示すＴ1、Ｔ2）は、電解水中の活性酸素種の残留時間よりも短いことが好ましい。ここで、活性酸素種の残留時間とは、電解水中に存在する活性酸素種の残留濃度がゼロになるまでの時間をいう。また、この通電時間と通電時間との間のインターバルは直前に生成されていた活性酸素種の残留時間より短いことが好ましいのは勿論である。
【００５０】
このように、直前に生成していた活性酸素種の残留時間が経過する前に電極３２、３３間の通電を開始することにより、常に活性酸素種を含む電解水を生成することができる。但し、インターバルは活性酸素種の残留時間より短く、活性酸素種の残留濃度がウィルス等の除菌・脱臭に有効な濃度を保つ時間であることが好ましい。なお、図７（A）は、電解水中のオゾン濃度（残留オゾン濃度）の時間推移を示したものであり、図７（B）は電解水中の次亜塩素酸濃度（残留次亜塩素酸濃度）を示したものである。また、第一の電極３２と第二の電極３３との間の極性を反転させることにより次亜塩素酸とオゾンを生成するようにすることが好ましい。また、このように極性を反転することで、活性酸素種として次亜塩素酸とオゾンを生成することが特に好ましい。
【００５１】
図７（A）、（B）に示すように、オゾンの電解水中の残留時間に比して、次亜塩素酸の電解水中の残留時間は長いので、電極３２、３３間に通電してオゾンを生成させた後のインターバルＴ1に比して、電極３２、３３間に通電して次亜塩素酸を生成させた後のインターバルＴ2を長くとることができる。
【００５２】
また、第一の電極３２および第二の電極３３の間に通電する通電時間を断続的に設ける場合、図７に示すように、正の電位を与える電極を第一の電極３２と第二の電極３３とに交互に切り替えるようにしてもよい。但し、図中に示す通電時間Ｔab、Ｔefは第二の電極３３に正の電位を与えて電極３２、３３間に通電してオゾンを生成させている状態を示し、図中に示す通電時間Ｔcd、Ｔghは第一の電極３２に正の電位を与えて電極３２、３３間に通電して次亜塩素酸を生成させている状態を示している。
【００５３】
このように交互に正の電位を与える電極を切り替えることにより、電解水中のオゾン濃度が高い時間と、次亜塩素酸濃度が高い時間とが交互に設けられ、多種多様なウィルス等を除菌・脱臭することができる。
【００５４】
また、オゾンは反応性が高く、多様なウィルス等やアレルギー物質等に対して除菌・脱臭効果を発揮するが、その反面、上述のように電解水中のオゾン残留時間が短い。このため、電解水に含める活性酸素種として次亜塩素酸とオゾンを生成する場合には、オゾンを生成させた後は電解水中の残留時間が比較的長い次亜塩素酸を生成させるように、オゾンを生成させた後（例えばｂの時点）、所定の時間以内に（例えば、ｃの時点）、第一の電極３２に正の電位を与えて第一の電極３２および第二の電極３３の間に通電することが好ましい。ここで所定の時間（例えば、Ｔ1）は、オゾンの電解水中の残留時間以内であれば任意に設定することができる。具体的には、所定の環境下におけるオゾンの電解水中の残留濃度の推移を予め測定しておき、空気除菌装置１を実際に運転させて空気除菌装置１が設置された室内の除菌・脱臭に必要なオゾン濃度（例えば、図中に示す濃度Ａ）を目安に所定の時間を設定することができる。このように、電解水中のオゾン濃度が所定の濃度Ａを有するであろう時間以内に通電を開始することで、電解水中の活性酸素種の濃度が一定濃度以下になることを防止し、除菌・脱臭効果を継続的に発揮することができる。
【００５５】
この場合、空気除菌装置１に電解水中のオゾン濃度を検出するオゾン濃度検出手段を設けておき、電解水中のオゾン濃度が濃度Ａになった時点で第一の電極３２に正の電位を与えて、電極３２、３３の間に通電する構成としてもよい。
【００５６】
また、空気除菌装置１の装置電源をオフする際には次亜塩素酸を生成させた状態で空気除菌装置１の運転を終了させることが好ましい。上述のように、次亜塩素酸の残留時間はオゾンの残留時間よりも長いため、次亜塩素酸を生成させた状態で空気除菌装置１の運転を終了させれば、運転していない間も、水受け皿９や給水タンク支持皿１０に雑菌やカビが発生することを低減することができ、メンテナンス等の労力の軽減が図られる。
【００５７】
また、上記実施の形態において、第一の電極３２と第二の電極３３を対の電極として、２対設け、各電極３１、３２の極性を反転させることにより、生成する電解水に含まれる活性酸素種の種類を次亜塩素酸またはオゾンもしくは過酸化水素に切り替えることとしたが、電解槽３１に設ける電極の構成はこれに限定されるものではない。
【００５８】
図８（Ａ）に示すように、並列に接続した２つの第一の電極３２と並列に接続した２つの第二の電極３３を、電極切替装置６０の極性反転部６２を介して直流電源回路６１に接続する構成とし、極性反転部６２により正の電位を与える電極を適宜切り替える構成としてもよい。また、図８（Ｂ）に示すように、１つの第一の電極３２と並列に接続した２つの第二の電極３３とを極性反転部６２を介して直流電源回路６１に接続する構成としてもよいし、図８（Ｃ）に示すように、並列に接続した２つの第一の電極３２と１つの第二の電極３３とを、極性反転部６２を介して直流電源回路６１に接続してもよい。
【００５９】
さらに、図９（Ａ）に示すように、電解槽３１内に常に負の電位が与えられる第三の電極３４を２つ設け、第一の電極３２、第二の電極３３と第三の電極３４とをそれぞれ対の電極として、電圧を印加する対の電極を第一の電極３２および第三の電極３４の間、または第二の電極３３と第三の電極３４の間に切り替えることにより、電解水に含まれる活性酸素種の種類を切り替えることとしてもよい。また、図９（Ｂ）に示すように、第三の電極３４を一つ設け、電圧を印加する際に、この第三の電極３４と対の電極とする電極を第一の電極３２または第二の電極３３に切り替える構成としてもよい。ここで、第三の電極３５としては、白金、カーボン（Ｃ）、ステンレス（Ｆｅ−Ｃｒ−（Ｎｉ）系合金）などを用いて構成できる。
【００６０】
また、電解槽３１を二つ設け、一方の電解槽３１には第一の電極３２と第三の電極３４を対の電極として挿入し、他方の電解槽３１には第二の電極３３と第三の電極３４とを対の電極として挿入し、水道水を電気分解させる電解槽３１を適宜切り替えて、気液接触部材５に滴下または浸透させる電解水に含ませる活性酸素種の種類を切り替える構成としてもよい。
【００６１】
このように、第三の電極３４を設けて、第三の電極３４と対にする電極を第一の電極３２と第二の電極３３とに切り替える場合においても、連続的に通電しながら、第三の電極３４と対にする電極を第一の電極３２または第二の電極３３に切り替えるようにしてもよいし、第三の電極３４と第一の電極３２または第二の電極３３の間に通電する通電時間を断続的に設けてもよい。この場合、前記第三の電極３４と対にする電極を前記第一の電極３２と前記第二の電極３３とに交互に切り替えることが好ましい。また、このように第三の電極３４と対にする電極を第一の電極３２と第二の電極３３に切り替えることで、活性酸素種として次亜塩素酸とオゾンを生成することが特に好ましい。
【００６２】
通電時間を断続的に設ける場合は、上記と同様の理由から、通電時間のインターバルは、電解水中の活性酸素種の残留濃度よりも短いことが好ましい。また、所定の通電時間においてオゾンを生成させた後は、所定の時間以内に次亜塩素酸を生成させる通電時間を設けることが好ましい。すなわち、電解水中のオゾン濃度が所定の濃度になる前に通電を開始して次亜塩素酸を生成させることが好ましい。また、空気除菌装置１の装置電源をオフする際には次亜塩素酸を生成させた状態で空気除菌装置１の運転を終了させることが好ましい。
【００６３】
また、上記の実施の形態においては、電解槽３１において水道水を電気分解することにより、水道水中に含まれる塩素イオンを利用して活性酸素種を生成することとしたが、イオン種が希薄な水道水または井戸水などを電解槽３１に導入する際には、塩素または塩素を含む化合物を電解槽３１に供給するための薬剤供給装置を空気除菌装置１に設けてもよい。
【００６４】
例えば、薬剤供給装置は、給水タンク支持皿１０に薬剤を注入するものであってもよいし、電解槽３１に直接薬剤を注入する構成としてもよい。また、給水タンク１１に薬剤を注入する構成としてもよいし、給水タンク１１自体に濃度を調整した薬剤を貯水させる構成としてもよい。この際、薬剤として、食塩または食塩水を用いることができる。例えば、電解槽３１中の食塩水の濃度を２〜３％濃度に調整すれば、電解槽３１において食塩水を電気分解することにより次亜塩素酸もしくは過酸化水素を含んだ電解水（０．５〜１％）を生成できる。この構成によれば、電解槽３１に導入される水のイオン種が希薄な場合でも、食塩または食塩水を添加することにより、イオン種を増加させて、水の電気分解時に、高効率に安定して活性酸素種を生成できる。
【００６５】
また、空気除菌装置１に空気放電によりオゾンを生成して前記電解水供給手段に供給するオゾン生成装置を備える構成としてもよい。オゾン生成装置は、生成したオゾンを電解槽３１に供給する構成としてもよいし、電解槽３１において生成した電解水にオゾン生成装置により生成したオゾンを供給して、電解水にオゾンを溶解させる構成としてもよい。このような構成によれば、電解槽３１に導入される水道水のイオン種が希薄で、水道水の電気分解によってはオゾンを生成させるのが困難な場合でも、活性酸素種としてのオゾンを含む電解水を生成して、気液接触部材に滴下または浸透させることができる。
【００６６】
また、上記実施形態では、出し入れ自在な給水タンク１１による給水方式としたが、この給水タンク１１の代わりに、例えば水道管を接続して、市水を直接導く水配管給水方式としてもよいことは云うまでもない。
【００６７】
さらに、上記実施形態では、気液接触部材５に電解水を滴下させて湿潤する電解水供給手段を説明したが、これに限定されず、気液接触部材５に電解水を吸い上げ方式により浸透させる構成としてもよい。この場合、図示は省略したが、例えば水受け皿９に堰を設けて電解水保水エリアを形成し、ここに電解水を導くと共に、気液接触部材５の下縁部を水没し、いわゆる毛細管現象によって電解水を吸い上げる構成としてもよい。
【図面の簡単な説明】
【００６８】
【図１】本発明の一実施形態を示す斜視図である。
【図２】内部構成を示す斜視図である。
【図３】筐体の縦断面図である。
【図４】気液接触部材の正面図である。
【図５】気液接触部材に電解水を滴下する手段を示す系統図であり、Ａは側面図、Ｂは散水ボックスの断面図、Ｃは電解槽の構成図である。
【図６】電解槽に設ける電極の極性の切替についての説明図である。
【図７】電極の極性の切替および電解水中の活性酸素種の残留濃度についての説明図である。
【図８】電解槽に設ける電極の別の構成を示す図である。
【図９】電解槽に設ける電極の構成のさらに別の構成を示す図である。
【符号の説明】
【００６９】
１  床置き式空気除菌装置
２  筐体
３  吸込口
４  吹出口
５  気液接触部材
７  送風ファン
９  水受け皿
１０  給水タンク支持皿
１１  給水タンク
１３  循環ポンプ
３１  電解槽（電解水供給手段）
３２  第一の電極
３３  第二の電極
３４  第三の電極
【図１】
0005172098.tif 000002
【図２】
0005172098.tif 000003
【図３】
0005172098.tif 000004
【図４】
0005172098.tif 000005
【図５】
0005172098.tif 000006
【図６】
0005172098.tif 000007
【図７】
0005172098.tif 000008
【図８】
0005172098.tif 000009
【図９】
0005172098.tif 000010